(57)【特許請求の範囲】
【請求項１】
レンズを備えた移動体と、
前記移動体を光軸方向に移動可能に支持する支持体と、
マグネット及びコイルを備え、前記移動体を光軸方向に駆動する磁気駆動機構と、
を有するレンズ駆動装置において、
前記コイルに電流を供給して電磁力を発生させたとき、当該電磁力に基づく前記移動体の光軸方向への移動を付勢力によって規制する規制部材と、
前記移動体に設けられ、前記マグネットに磁気吸引される磁性部材と、
を備え、
前記コイルの通電時は、前記磁気駆動機構による電磁力によって前記移動体を光軸方向に駆動する一方、
前記コイルの非通電時は、前記規制部材が前記移動体を付勢する付勢力及び前記磁性部材が前記マグネットに吸引される磁気力によって前記移動体を撮像素子側に押し付けるレンズ駆動装置であって、
前記移動体の自重よりも前記付勢力のスラスト方向成分及び前記磁気力のスラスト方向成分のそれぞれが小さく、
前記コイルの非通電時に前記移動体を前記支持体の撮像素子側に押し付ける状態において、前記移動体の自重よりも前記付勢力のスラスト方向成分及び前記磁気力のスラスト方向成分の総和が大きくなる前記規制部材及び前記磁性部材であることを特徴とするレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１〜３参照）。
【０００４】
このようなカメラ付き携帯電話機等においては、ポケットやバック等に入れて持ち歩くことが多いため、携帯時（非使用時）に大きな揺れや衝撃を受けることがある。すなわち、携帯電話等を使用していない状態では、レンズを変位駆動する駆動機構が動作していないため、レンズが揺れや衝撃を受けて振動し易く、その結果、レンズが揺れや衝撃を受けてずれや損傷を受け易い。
【０００５】
そこで、特許文献１及び特許文献２に開示されたレンズ駆動装置等は、ヨークと、ベースと、マグネット及びコイルと、レンズを支持するレンズ支持体と、前側スプリング（：被写体側スプリング）及び後側スプリング（：撮像素子側スプリング）と、ベースと、を有している。コイルへの通電を停止したときには、これら前側スプリング及び後側スプリングは、レンズ支持体をベースにその付勢力を付与して押さえつけるようにしている。これにより、携帯時に大きな揺れや衝撃が生じた場合でも、レンズ支持体に揺れやガタツキが生じ難く、対衝撃性をもたせている。
【０００６】
また、特許文献３に開示されたレンズ駆動装置は、移動レンズ体と、移動レンズ体をレンズの光軸方向に移動可能に支持する固定体と、移動レンズ体をレンズの光軸方向に移動させる磁気駆動機構と、ホルダ受けとを有している。また、磁気駆動機構として、移動レンズ体にコイルが設けられ、固定体にはマグネットが設けられている。加えて、移動レンズ体には磁気バネ（磁性部材）が設けられている。
【０００７】
この磁気バネは、固定体に設けられたマグネットと磁気吸引するようになっている。これにより、コイルへの通電を停止したとき（非通電時）、磁気吸引力を用いて、移動レンズ体を固定体に押さえつけるように当接し、移動レンズ体がぐらつかないようにしている。
【０００８】
図４の半断面模式図を用いて、より具体的に説明する。図４（ａ）〜（ｄ）は、従来のレンズ駆動装置における断面模式図である。なお、図４（ａ）及び図４（ｂ）は、上述した特許文献１及び特許文献２で開示されたレンズ駆動装置１００の模式図である。また、図４（ｃ）及び図４（ｄ）は、上述した特許文献３で開示されたレンズ駆動装置１００の模式図である。
【０００９】
図４（ａ）、（ｂ）に示すように、従来のレンズ駆動装置１００は、スリーブ１０１と、ヨーク１０２と、ヨーク１０２を挟んで光軸方向における被写体側に設けられたカバー１１０と、撮像素子側に設けられた台座１１１と、コイル１０３と、マグネット１０４と、板バネ１０５と、スリーブ１０１の光軸方向の移動量を規制する度当たり部１０７、１０８と、から構成されている。また、図４（ｃ）、（ｄ）は、上記構成に加えてさらに磁気バネ１０６が、スリーブ１０１の光軸方向の端面であって、板バネ１０５の下側に配置されている。
【００１０】
そして、レンズ駆動装置１００の動作については、図４（ａ）〜図４（ｄ）を用いて説明する。なお、図４（ａ）はコイルへの非通電時での状態、原点位置を示し、図４（ｂ）はコイルに通電された状態を示し、具体的には被写体側へ移動した状態を示している。同様に、図４（ｃ）は原点位置を示し、図４（ｄ）は被写体側へ移動した状態を示している。
【００１１】
図４（ａ）に示すレンズ駆動装置１００では、板バネ１０５の付勢力によって、コイル１０３の非通電時にスリーブ１０１の度あたり部１０７がベース１１１に押さえつけられながら当接している。そして、コイル１０３の通電時には、図４（ｂ）に示す位置にスリーブ１０１が光軸方向に移動する。このとき、スリーブ１０１には、コイル１０３による駆動力（推力）と、板バネ１０５による付勢力、すなわち、スリーブ１０１の移動を規制するように弾性力とが作用し、これらの力が釣り合う位置にスリーブ１０１が停止するようになっている。
【００１２】
一方、図４（ｃ）に示すレンズ駆動装置１００では、磁気バネ１０６（磁性部材）がマグネット１０４に磁気吸引され、この磁気吸引力によって、コイル１０３の非通電時にスリーブ１０１がベース１１に押さえつけられながら当接している。磁気バネ１０６がスリーブ１０１を付勢する力Ｆｐは、スリーブ１０１の重さＷｐ以上となるように設定されている。換言すれば、このレンズ駆動装置１００においては、板バネ１０５は、弾性力がほとんど働いていない状態となっている。そして、コイル１０３の通電時には、図４（ｄ）に示す位置にスリーブ１０１が光軸方向に移動する。このとき、スリーブ１０１には、コイル１０３による駆動力と板バネ１０５による付勢力（弾性力）とが作用し、これらの力が釣り合う位置にスリーブ１０１が停止するようになっている。また、磁気バネ１０６とマグネット１０４との磁気吸引力は、コイル１０３による駆動力よりは小さいが、スリーブ１０１の移動に影響を与えている。
【００１３】
【特許文献１】特開２００５−１２８３９２号公報（図１）
【特許文献２】特開２００５−１６５０５８号公報（図１）
【特許文献３】特開２００７−１４８３５４号公報（図１）
【発明の開示】
【発明が解決しようとする課題】
【００１４】
しかしながら、図４（ａ）に示すレンズ駆動装置１００では、コイル１０３の非通電時（原点位置）において、スリーブ１００の度当たり部１０７がベース１１０に、板バネ１０５の弾性力（付勢力）を用いて押さえつけながら当接している。このため、板バネ１０５には、コイル１０３の非通電時及び通電時と常に撓ませておく必要がある。さらに、図４（ｂ）に示す被写体側へ移動した状態では、図４（ａ）で示す原点位置で撓ませていた板バネ１０５をさらに撓ませる必要がある。このため金属製のバネには、金属疲労や永久変形が生じる場合がある。さらに、板バネ１０５の金属材料のバネ限界値またはその近傍で板バネ１０５の使用が継続された場合には板バネ１０５の疲労破壊が生じ易くなるという問題がある。
【００１５】
特に、近年におけるアクチュエータの小型化要求に伴って、板バネ１０５が更に小型や薄型になると板バネ１０５の強度が弱くなり、または撓み易くなり、疲労破壊の問題が起きる恐れがある。
【００１６】
一方で、図４（ｃ）で示すレンズ駆動装置１００では、コイル１０３の非通電時、磁気バネ１０６の磁気吸引力を利用して、スリーブ１０１をベース１１０に押さえつけながら当接しているので、図４（ｃ）に示すように原点位置において板バネ１０５はほとんど撓んでいない。しかし、アクチュエータの小型化要求に伴って、レンズ駆動装置１００が小型化すると、磁気バネ１０６がマグネット１０４により近づく。その結果、磁気バネ１０６に対するマグネット１０４の磁気吸引力が大きくなり（特に、スラスト方向よりもラジアル方向の磁気吸引力が大きくなり）、スリーブ１０１及びマグネット１０４を光軸に対して同心円上となるように組み付け精度を高める必要があり、作業性が悪化するという問題がある。すなわち、組み付け精度が悪いと、スリーブ１０１及びマグネット１０４をレンズ駆動装置１００に組み付けた後に、ラジアル方向の磁気吸引力の影響を受けて、スリーブ１０１が倒れ、光学特性の低下を招く虞がある。
【００１７】
本発明は、以上の点に鑑みてなされたものであり、その目的は、対衝撃性を保ちながら小型化が可能なレンズ駆動装置を提供することにある。
【課題を解決するための手段】
【００１８】
以上のような課題を解決するために、本発明は、以下のものを提供する。
【００１９】
（１）  レンズを備えた移動体と、前記移動体を光軸方向に移動可能に支持する支持体と、マグネット及びコイルを備え、前記移動体を光軸方向に駆動する磁気駆動機構と、を有するレンズ駆動装置において、前記コイルに電流を供給して電磁力を発生させたとき、当該電磁力に基づく前記移動体の光軸方向への移動を付勢力によって規制する規制部材と、前記移動体に設けられ、前記マグネットに磁気吸引される磁性部材と、を備え、前記コイルの通電時は、前記磁気駆動機構による電磁力によって前記移動体を光軸方向に駆動する一方、前記コイルの非通電時は、前記規制部材が前記移動体を付勢する付勢力及び前記磁性部材が前記マグネットに吸引される磁気力によって前記移動体を撮像素子側に押し付けるレンズ駆動装置であって、前記移動体の自重よりも前記付勢力のスラスト方向成分及び前記磁気力のスラスト方向成分のそれぞれが小さく、前記コイルの非通電時に前記移動体を前記支持体の撮像素子側に押し付ける状態において、前記移動体の自重よりも前記付勢力のスラスト方向成分及び前記磁気力のスラスト方向成分の総和が大きくなる前記規制部材及び前記磁性部材であることを特徴とするレンズ駆動装置。
【００２０】
本発明によれば、移動体と支持体と磁気駆動機構を有するレンズ駆動装置で、移動体の光軸方向への移動を付勢力によって規制する規制部材と、マグネットに磁気力によって磁気吸引される磁性部材とを設け、規制部材が移動体を付勢する付勢力をＦ１、磁性部材がマグネットに吸引される磁気力をＦ２、移動体の重さをＷとしたとき、前記コイルに電流を供給しない状態において、Ｗ>Ｆ１、Ｗ>Ｆ２かつＷ<Ｆ１＋Ｆ２という関係（移動体の自重よりも付勢力及び磁気力のそれぞれが小さく、移動体の自重よりも付勢力及び磁気力の総和が大きくなる関係）にあるようにしたので、対衝撃性を保ちながら小型化が可能なレンズ駆動装置を提供することができる。
【００２１】
すなわち、従来のレンズ駆動装置において、移動体を支持体に押し付けようとすると、移動体の重さよりも大きな（規制部材の）付勢力が必要になる（Ｗ＜Ｆ１またはＷ＜Ｆ２）。そうすると、上述したようにコイルの通電時における撓み量が大きくなることから、レンズ駆動装置をさらに小型化した場合には、規制部材は疲労破壊を招きやすくなっている。しかし、本発明に係るレンズ駆動装置では、Ｗ＞Ｆ１、Ｗ＞Ｆ２かつＷ＜Ｆ１＋Ｆ２の関係式が成立しており、磁性部材の存在によって、移動体の重さよりも大きな付勢力を必要としない。そのため、コイルの通電時において規制部材が大きく撓むことを防ぐことができ、ひいては規制部材の疲労破壊を防止することができる。
【００２２】
なお、本発明では、Ｗ＜Ｆ１＋Ｆ２の関係式が成立するようにしているので、磁性部材とマグネットとの間に働く磁気吸引力のうち、Ｆ１と平行する成分の力が小さくなったとしても、規制部材による付勢力で補完することによって、移動体を支持体に十分押し付けることができる。
【発明の効果】
【００２３】
本発明に係るレンズ駆動装置によれば、規制部材の撓み量が小さくなるようにしたので、対衝撃性を保ちながら小型化が可能なレンズ駆動装置を提供することができる。すなわち、規制部材が小さくまたは薄くなった場合でも、その疲労破壊を防ぐことができる。
【発明を実施するための最良の形態】
【００２４】
以下、本発明を実施するための最良の形態について、図面を参照しながら説明する。
【００２５】
図１は、本実施形態に係るレンズ駆動装置１の半断面模式図である。図１（ａ）は、レンズ駆動装置１においてコイル１４の非通電時（スリーブ１３が通常撮影位置にあるとき）の図を示し、図１（ｂ）は、レンズ駆動装置１においてコイル１４の通電時（スリーブ１３が接写撮影位置にあるとき）を示している。なお、レンズ駆動装置１の具体的な全体構成については、その説明を省略する。また、図１では、レンズ駆動装置１を縦に切断したときの右半分のみを示している。また、図１では、説明の便宜上、上を被写体に近い前側とし、下をカメラボディに近い後ろ側とする。
【００２６】
図１において、レンズ駆動装置１は、スリーブ１３を光軸Ｌの方向に移動可能に支持するヨーク１１２、このヨーク１１２を挟んで、光軸方向における被写体側に設けられたカバー１１３と、撮像素子側に設けられた台座１１４とからなる支持体１１と、支持体１１に固定されたマグネット１２と、支持体１１に光軸Ｌ方向に移動可能に支持されたスリーブ（レンズを備えた移動体の一例）１３と、スリーブ１３の外周面であって、マグネット１２と対向するように配置されたコイル１４と、スリーブ１３の光軸方向への移動を規制する板バネ１５（板バネ１５ａ及び板バネ１５ｂ）と、磁性部材としての磁気バネ１６と、から構成されている。なお、本実施例において、磁気バネ１６は円環形状である。
【００２７】
本実施の形態では、支持体１１は、スリーブ１３の外周を囲むようになっており、被写体側にカバー１１３、撮像素子側に台座１１４、スリーブ１３の外周を囲むケース体（ヨーク）１１２を主な構成としている。そして、ケース体は、例えば、鋼板などの磁性体から構成されており、マグネット１２のバックヨークとして機能している。また、スリーブ１３には、図示のとおり、スリーブ１３の光軸方向の移動量を規制する度当たり部１７、１８が形成されている。
【００２８】
マグネット１２は、支持体１１の内周側に配置されており、支持体１１及びコイル１４と併せて（磁気回路を構成することで）、スリーブ１３を光軸方向に駆動する。したがって、これらの要素は、スリーブ１３を光軸方向に駆動する磁気駆動機構の一例として機能する。マグネット１２はスリーブ１３と同じような円筒形状であり、光軸Ｌを中心として同心円上に、スリーブ１３の外側にマグネット１２が配置されている。なお、マグネット１２は円筒形状に限定されるものではなく、角筒状のヨークの四隅にそれぞれ配置されるほぼ三角柱状でもよく、この場合、四隅に配置された４つのマグネット１２の内周面、すなわち、スリーブ１３の外周面と対向する面が、光軸Ｌを中心として同心円上となるように配置されていればよい。
【００２９】
このように、支持体１１，マグネット１２，及びコイル１４によって、磁気回路（磁路）が形成され、この状態でコイルに電流が流れると電磁力（磁気的吸引力）が発生し、この電磁力によってスリーブ１３が光軸方向に駆動される（図１（ａ）→図１（ｂ））。磁気回路は、マグネット１２で発生した磁束を、ヨーク１１を通して対向側のマグネット１２の反対極に流すため、磁束漏洩が少なく、効率の良くすることができる。換言すれば、上記磁気回路を通ってマグネット１２の両端面の間を流れる磁束の強度を高めることができ、コイル１４に惹起される起電力を高くできるようにしている。
【００３０】
板バネ１５は、磁気駆動機構によって電磁力が発生したとき、その電磁力に基づくスリーブ１３の光軸方向の移動を規制する（よって、上述した電磁力と釣り合ったとき、スリーブ１３は所望の位置に停止する）。すなわち、規制部材の一例として機能する。本実施の形態では、板バネ１５は、電流を流す金属製のバネであって、スリーブ１５の光軸方向の両端（前端、後端）に板バネ１５ａ、１５ｂと２枚の板バネが設けられている。板バネ１５ａ、１５ｂは、それぞれ、最も内側のリング状部分に、スリーブ１３の前端または後端が載置されるようになっている。外側の取付け部はヨーク１１に取付けられ、上記リング状部分と取付け部とを連結する複数のアーム部が形成されている。そして、スリーブ１３は、周囲に配置された複数のアーム部において発生する弾性力を通じて、スリーブ１３の前端又は後端の方向へ付勢される。
【００３１】
また、本実施の形態では、図１（ａ）に示すとおり、レンズ駆動装置１の非通電時（スリーブ１３が通常撮影位置にあるとき）でも、板バネ１５（１５ａ、１５ｂ）は、スリーブ１３を支持体１１側に向って付勢力を付与している。すなわち、スリーブ１３を、その度当たり部１７を介して支持体１１の台座１１４に押さえつけながら当接している。
【００３２】
また、磁気バネ１６は、図示のとおり、スリーブ１３の前側の端部、度当たり部１８であって、板バネ１５ａの近傍に配置されており、板バネ１５ａを基準にすれば、マグネット１２が存在しない側（前側）に配置、すなわち、光軸方向において、スリーブ１３の端部、板バネ１５ａ、磁気バネ１６の順に配置されている。そのため、磁気バネ１６とマグネット１２との距離が、図４（ｃ）、（ｄ）に示す磁気バネ１０６とマグネット１０４との距離に比べて大きくなっており、両者の磁気吸引力は、スリーブ１３の光軸方向の移動に与える影響は従来に比べて小さくなっている。
【００３３】
換言すれば、図４（ｃ）、（ｄ）に示す従来のレンズ駆動装置においては、磁気バネ（磁性部材）１０６は板バネ（規制部材）１０５よりも光軸方向において撮像素子側に位置していたが、本発明に係るレンズ駆動装置１では、磁気バネ１６は板バネ１５ａよりも光軸方向において被写体側（板バネ１５ａを介してコイル１４と反対側）に位置している。したがって、磁気バネ１６とマグネット１２との間に働く磁気吸引力のうち、Ｆ１と直交する成分の力（ラジアル方向成分の力）は従来に比べて小さくなり、その結果、スリーブ１３をレンズ駆動装置１に組み付けた後に移動体（例えば、スリーブ１３）が倒れてしまうのを防ぎ、ひいては光学特性の低下を防ぐことができる。
【００３４】
ここで、本実施形態に係るレンズ駆動装置１では、板バネ１５が移動体（スリーブ１３等）を付勢する力をＦ１、磁気バネ１６がマグネット１２に吸引される力（のうちＦ１と平行な成分の力）をＦ２、スリーブ１３等の重さをＷとしたとき、コイル１４への非通電時において、Ｗ＞Ｆ１、Ｗ＞Ｆ２かつＷ＜Ｆ１＋Ｆ２という関係が成立している。具体的には、図２の拡大図を用いて説明する。
【００３５】
図２は、図１（ａ）の点線枠を拡大したときの様子を示す拡大図である。図２（ａ）はコイルの非通電時において、レンズ駆動装置１が正方向にある場合を示し、図２（ｂ）は、コイルの非通電時において、レンズ駆動装置１を逆さまにした場合を示す模式図である。
【００３６】
なお、図２（ａ）および（ｂ）のいずれ場合でも、スリーブ１３とマグネット１２（の内周面）とは光軸Ｌを中心とした同心円上に配置されている。すなわち、スリーブ１３とマグネット１２とは径方向（ラジアル方向）に所定の隙間をおいて配置されている。従って、図２（ａ）に示すように、マグネット１２と磁気バネ１６とによる磁気吸引する力をＦ２ｂとした場合、その力の成分は径方向（ラジアル方向）にかかる力Ｆ２ａと、力Ｆ２ａとは直交する方向（光軸Ｌ方向）にかかる力Ｆ２である。このうち、力Ｆ２ａは、上記のとおり、スリーブ１３はマグネット１２と同心円上に配置されているため、スリーブ１３とマグネット１２との間隔が一定になっている。従って、磁気バネ１６の径方向の力Ｆ２ａ全体の和は、それぞれ同じ大きさでかつ、向きは１８０度逆となり、互いに相殺されて、総和は０となる。すなわち、磁気バネ１６による磁気吸引する力Ｆ２ｂにおいて、スリーブ１３にかかる力は、本実施例では、光軸Ｌ方向に働くＦ２のみを考えればよい。
【００３７】
図２（ａ）に示すレンズ駆動装置１において、スリーブ１３には、その重さＷ、板バネ１５ａ、１５ｂによる付勢力Ｆ１、磁気バネ１６による磁気吸引力Ｆ２は同じ下向きに働いている。すなわち、スリーブ１３を、度当たり部１７を介して、支持体１１の台座１１４に、力Ｆｗ１（＝Ｗ＋Ｆ１＋Ｆ２）で押さえつけながら当接している。
【００３８】
図２（ｂ）に示すレンズ駆動装置１において、スリーブ１３には、図２（ａ）の場合とは異なり、その重さＷが働く向き（図示下向き）と、付勢力Ｆ１と磁気吸引力Ｆ２が働く向き（図示上向き）とは逆方向になっている。すなわち、本実施の形態では、Ｗ＜Ｆ１＋Ｆ２の関係が成り立っているので、スリーブ１３を、度当たり部１７を介して、台座１１４に、力Ｆｗ２（＝Ｆ１＋Ｆ２−Ｗ）で押さえつけながら当接している。
【００３９】
これにより、コイル１４への非通電時において、スリーブ１３は、付勢力Ｆ１と磁気吸引力Ｆ２との合力により、支持体１１に向って押さえつけられながら当接しているので、コイル１４の非通電時において、大きな揺れや衝撃が生じた場合でも、スリーブ１３のぐらつきを防止することができ、対衝撃性をもたせている。また、従来の図４（ａ）、および図４（ｂ）に示すレンズ駆動装置１００と異なって、Ｗ＜Ｆ１ではなくＷ＞Ｆ１、およびＷ＞Ｆ２となっているので、コイル１４の非通電時における板バネ１５の撓み量を減らすことができる。その結果、コイル１４の通電時における板バネ１５の撓み量も減らすことができ、板バネ１５を小型または薄型にした場合でも、所定のバネ限界値を超えず、ヒステリシス特性を向上させることができ、ひいては規制部材としての板バネ１５の疲労破壊を防止することができる。
【００４０】
また、上述したように、磁気バネ１６は、板バネ１５ａの近傍に配置され、板バネ１５ａを基準としてマグネット１２が存在しない側に配置されている。したがって、磁気バネ１６とマグネット１２との磁気吸引力を従来に比べてさらに小さくすることができる。これにより、スリーブ１３とマグネット１２とを光軸Ｌに対して同心円上となるように組み付け精度をさほど高める必要もなく、作業性が悪化することもない。すなわち、スリーブ１３及びマグネット１２をレンズ駆動装置１に組み付けた後に、ラジアル方向の磁気吸引力の影響を受けて、スリーブ１３が倒れてしまうのを防ぎ、ひいては光学特性の低下を防ぐことができる。
【００４１】
［変形例］
図３は、本発明の他の実施の形態に係るレンズ駆動装置１Ａ，１Ｂの断面模式図である。
【００４２】
本実施の形態では、板バネ１５ａ、１５ｂの両者が、コイル１４の非通電時において、スリーブ１３に付勢力を付与するように撓ませているが、これに限定されるものではない。例えば、図３（ａ）に示すように、コイル１４の非通電時において、板バネ１５ｂはフラットな形状とし、板バネ１５ａのみを撓ませて付勢力を付与するようにしてもよい。この場合、コイル１４の通電時には、板バネ１５ｂはほとんど撓むことなく（図３（ｂ）参照）、板バネ１５ｂの耐久性を高めることができる。なお、Ｗ＞Ｆ１、Ｗ＞Ｆ２かつＷ＜Ｆ1＋Ｆ２の関係は成り立っている。
【００４３】
同様に、図３（ｃ）に示すように、コイル１４の非通電時において、板バネ１５ａはフラットな形状とし、板バネ１５ｂのみを撓ませて付勢力を付与するようにしてもよい。この場合、コイル１４の通電時には、板バネ１５ａはほとんど撓むことなく（図３（ｄ）参照）、板バネ１５ａの耐久性を高めることができる。なお、Ｗ＞Ｆ１、Ｗ＞Ｆ２かつＷ＜Ｆ1＋Ｆ２の関係は成り立っている。
【００４４】
このように、コイル１４への非通電時における板バネ１５は、いずれか一方がフラットな形状であってもよい。また、板バネ１５の撓み量については、どの程度であってもよい。さらに、磁気回路については、図１〜図３に示すような構造のものでなくても、推力を発生できるような構造のものであれば、その種類の如何を問わない。本実施形態では、コイル１４とマグネット１２が径方向（ラジアル方向）において向き合うような構造となっているが、例えば、２個のマグネット１２によってコイル１４を挟み込むような構造となっていてもよい。
【００４５】
磁気バネ１６の位置は、本実施の形態に示す位置に限定されるものではない。すなわち、磁気バネ１６はマグネット１２との間に磁気吸引力が働き、Ｗ＞Ｆ１、Ｗ＞Ｆ２、かつＷ＜Ｆ１＋Ｆ２の関係を満足することができる距離であればどこに配置されていてもよい。例えば、図１において、スリーブ１３の光軸Ｌ側の面に配置してもよい。
【００４６】
以上説明したレンズ駆動装置１，１Ａ，１Ｂは、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００４７】
本発明に係るレンズ駆動装置は、規制部材の疲労破壊や、光学特性の低下を防ぐことが可能なものとして有用である。
【図面の簡単な説明】
【００４８】
【図１】本実施形態に係るレンズ駆動装置の一実施例を示す図で、中央から左半分を省略して右半分を示す断面模式図である。
【図２】図１（ａ）の点線枠を拡大したときの様子を示す拡大図である。
【図３】本発明の他の実施の形態に係るレンズ駆動装置の断面模式図である。
【図４】従来のレンズ駆動装置における断面模式図である。
【符号の説明】
【００４９】
１，１Ａ，１Ｂ  レンズ駆動装置
１１  支持体
１２  マグネット
１３  スリーブ（移動体としての）
１４  コイル
１５  板バネ
１６  磁気バネ
【図１】
0005146956.tif 000002
【図２】
0005146956.tif 000003
【図３】
0005146956.tif 000004
【図４】
0005146956.tif 000005